(57)【特許請求の範囲】
【請求項１】
長さが短く肉薄な第１のカードと、この第１のカードより長さが長く肉厚な第２のカードの両方が挿着可能な収納部を有するハウジングと、前記収納部のカード挿入方向に沿って手前側と奥側にそれぞれ並設され、前記第１のカードの接触端子部と接続される複数の第１のコネクタ端子と、前記第２のカードの接触端子部と接続される複数の第２のコネクタ端子とを備え、前記第１のコネクタ端子の接点部は、前記収納部のカード挿入路の外側に配設され、前記第２のカードの挿入時には前記第２のカードの底面とは接触しないように形成されると共に、前記第１のカードの挿入時にはカードの挿入に伴って前記接点部が前記第１のカードの接触端子部と接触する位置まで変位するように形成し、前記ハウジングには、前記第１のカードと係合してカード挿入方向へ移動する第１のスライド部材と、前記第２のカードと係合してカード挿入方向へ移動する第２のスライド部材が設けられ、前記第１のスライド部材は前記第２のスライド部材よりカード挿入方向に沿って手前側に配設され、前記第１のスライド部材に、前記第１のコネクタ端子の接点部を前記第１のカードの接触端子部と接触する位置まで変位させる押圧部を形成したことを特徴とするカード用コネクタ装置。
【請求項２】
前記第１のコネクタ端子は、一端側が前記ハウジングに固着されて自由端側が前記接点部を有する片持ち状に形成され、前記接点部が自身の有する弾性力により前記収納部のカード挿入路の外側に位置するように付勢されており、前記第１のスライド部材がカードの挿着位置に移動するのに伴って、前記押圧部が、前記第１のコネクタ端子の付勢力に抗して前記接点部を前記第１のカードの接触端子部と接触する位置まで変位させることを特徴とする請求項１記載のカード用コネクタ装置。
【請求項３】
前記第１のスライド部材をカード排出方向へ付勢する第１付勢部材と、前記第１のスライド部材を第１のカード挿着位置にロックする第１ハート型カム溝、及びこの第１ハート型カム溝に沿って摺動する第１ロックピンとを備えると共に、前記第２のスライド部材をカード排出方向へ付勢する第２付勢部材と、前記第２のスライド部材を第２のカード挿着位置にロックする第２ハート型カム溝、及びこの第２ハート型カム溝に沿って摺動する第２ロックピンとを備え、前記ロックの解除時には、前記第１のスライド部材がカード排出方向へ移動するのに伴って、前記第１のカードは前記第１のスライド部材に押されて排出位置まで移動され、前記第２のスライド部材がカード排出方向へ移動するのに伴って、前記第２のカードは前記第２のスライド部材に押されて排出位置まで移動することを特徴とする請求項１、又は２記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、カード用コネクタ装置としては１種類のメモリーカードにしか対応しておらず、一つのカード用コネクタ装置には特定の一つのメモリーカードしか挿着することができなかった。このため、色々な種類のメモリーカードを使用したい場合には、それぞれのメモリーカード専用のカード用コネクタ装置を準備する必要があった。
【０００５】
【発明が解決しようとする課題】
しかしながら、それぞれのメモリーカード専用のカード用コネクタ装置を準備する場合には、カード用コネクタ装置を搭載する電子機器が大型化してしまい、また、メモリーカードを挿着する際に、種類の異なるメモリーカードを間違って別のカード用コネクタに挿入してしまうという不具合が発生する問題があった。
【０００６】
このため、長さの異なる二つのカードを挿着可能にするために、各カードの接触端子部と接触可能なコネクタ端子部をカードの挿入方向に沿って前後二列に配設する構造が提案されているが、かかる構造では、長い方のカードを挿入する場合、長いカードは手前側に配設されたコネクタ端子を乗り越えて奥側に配設されたコネクタ端子と接触する位置まで移動されることになるため、長いカードは手前側のコネクタ端子と擦れて底面が摩耗することや、挿入時の抵抗が大きくなってしまうという問題があった。
【０００７】
したがって、本発明では上述した問題点を解決し、コネクタ端子をカードの挿入方向に沿って前後に配設して長さの異なるカードを挿着可能にすると共に、カードの挿入時に各カードを円滑に挿入することができるカード用コネクタ装置を提供することを目的とする。
【０００８】
【課題を解決するための手段】
上記課題を解決するために本発明では第１の手段として、長さが短く肉薄な第１のカードと、この第１のカードより長さが長く肉厚な第２のカードの両方が挿着可能な収納部を有するハウジングと、前記収納部のカード挿入方向に沿って手前側と奥側にそれぞれ並設され、前記第１のカードの接触端子部と接続される複数の第１のコネクタ端子と、前記第２のカードの接触端子部と接続される複数の第２のコネクタ端子とを備え、前記第１のコネクタ端子の接点部は、前記収納部のカード挿入路の外側に配設され、前記第２のカードの挿入時には前記第２のカードの底面とは接触しないように形成されると共に、前記第１のカードの挿入時にはカードの挿入に伴って前記接点部が前記第１のカードの接触端子部と接触する位置まで変位するように形成し、前記ハウジングには、前記第１のカードと係合してカード挿入方向へ移動する第１のスライド部材と、前記第２のカードと係合してカード挿入方向へ移動する第２のスライド部材が設けられ、前記第１のスライド部材は前記第２のスライド部材よりカード挿入方向に沿って手前側に配設され、前記第１のスライド部材に、前記第１のコネクタ端子の接点部を前記第１のカードの接触端子部と接触する位置まで変位させる押圧部を形成したことを特徴とする。
【００１０】
また、第２の手段として、前記第１のコネクタ端子は、一端側が前記ハウジングに固着されて自由端側が前記接点部を有する片持ち状に形成され、前記接点部が自身の有する弾性力により前記収納部のカード挿入路の外側に位置するように付勢されており、前記第１のスライド部材がカードの挿着位置に移動するのに伴って、前記押圧部が、前記第１のコネクタ端子の付勢力に抗して前記接点部を前記第１のカードの接触端子部と接触する位置まで変位させることを特徴とする。
【００１１】
また、第３の手段として、前記第１のスライド部材をカード排出方向へ付勢する第１付勢部材と、前記第１のスライド部材を第１のカード挿着位置にロックする第１ハート型カム溝、及びこの第１ハート型カム溝に沿って摺動する第１ロックピンとを備えると共に、前記第２のスライド部材をカード排出方向へ付勢する第２付勢部材と、前記第２のスライド部材を第２のカード挿着位置にロックする第２ハート型カム溝、及びこの第２ハート型カム溝に沿って摺動する第２ロックピンとを備え、前記ロックの解除時には、前記第１のスライド部材がカード排出方向へ移動するのに伴って、前記第１のカードは前記第１のスライド部材に押されて排出位置まで移動され、前記第２のスライド部材がカード排出方向へ移動するのに伴って、前記第２のカードは前記第２のスライド部材に押されて排出位置まで移動することを特徴とする。
【００１２】
【発明の実施の形態】
以下、本発明の実施形態を図１乃至図１５に示す。図１はカード用コネクタ装置の平面図、図２は同じく正面図、図３は同じく縦断面図、図４は第１のカード挿着時のカード用コネクタ装置の平面図、図５は同じく正面図、図６は同じく縦断面図、図７は第２のカード挿着時のカード用コネクタ装置の平面図、図８は同じく正面図、図９は同じく縦断面図、図１０は第１のカードの平面図、図１１は同じく正面図、図１２は同じく底面図、図１３は第２のカードの平面図、図１４は同じく正面図、図１５は同じく底面図である。
【００１３】
図１乃至３において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。
【００１４】
前記収納部１ａには、弾性を有する導電性の金属材からなる第１、及び第２のコネクタ端子２、３が複数個並設されている。前記第１のコネクタ端子２は、前記収納部１ａのカード挿入方向の手前側に配設されており、平板状の基部と、この基部から互いに対向する方向へ略Ｚ字状に屈曲されて形成された接続片２ａ及び接触片２ｂとから形成されている。前記第１のコネクタ端子２は、一端側に形成された前記接続片２ａが、前記収納部１ａの底面部に設けられた開口部１ｃから外方へ表出して配設されており、この接続片２ａが電子機器などの外部の回路基板上の回路パターンと半田付けされて固着されることで信号の伝送が行われるものとなる。
【００１５】
また、前記第１のコネクタ端子２の基部の他端側に形成された前記接触片２ｂが、前記収納部１ａの底部に片持ち状に支持されて前記収納部１ａ内に突出可能に配設されたものとなっている。また、前記接触片２ｂの先端側には、後述する第１のカード１２の接触端子部１２ａに接続される接点部２ｃが形成されている。この場合、前記接点部２ｃは、自身の有する弾性力により前記収納部１ａのカード挿入路の外側に位置するように付勢されたものとなっている。
【００１６】
前記第２のコネクタ端子３は、前記収納部１ａの前記第１のコネクタ端子２の配設位置よりも奥側に配設されており、平板状の基部と、この基部から互いに対向する方向へ屈曲されて形成された接続片３ａ及び接触片３ｂとから形成されている。前記第２のコネクタ端子３は、一端側に形成された前記接続片３ａが、前記ハウジング１の後方外側面から外方へ表出して配設されており、この接続片３ａが電子機器などの外部の回路基板上の回路パターンと半田付けされて固着されることで信号の伝送が行われるものとなる。
【００１７】
また、前記第２のコネクタ端子３の基部の他端側に延出されて形成された前記接触片３ｂが、前記収納部１ａ内に突出して配設されたものとなっている。また、前記接触片３ｂの先端側には、後述する第２のカード１３の接触端子部１３ａに接続される接点部３ｃが形成されている。
【００１８】
また、前記カード挿入部１ｂには、後述する第１及び第２のカード１２、１３の底面部を案内する平面からなる平坦部１ｄが設けられており、この平坦部１ｄを挟んで両側には、後述する第１及び第２のカード１２、１３の側面部を案内する一対のガイド部１ｅ、１ｅが形成されている。また、前記カード挿入部１ｂは、最大幅が第１のカード１２の幅と略等しくなるように形成されており、また、最大厚さは第２のカード１３の厚さと略等しくなるように形成されている。
【００１９】
また、一対の前記ガイド部１ｅ、１ｅには、段差状の平行面からなる複数の案内面が形成されており、前記ガイド部１ｅの下端側には、第１のカード１２の側面部と当接して第１のカード１２を挿着位置へ案内する凹状の第１の案内面１ｆが形成されている。また、前記ガイド部１ｅの上端側には、凹状の前記第１の案内面１ｆよりも内側に位置され、第２のカード１３の側面部と当接して第２のカード１３を挿着位置へ案内する凸状の第２の案内面１ｇが形成されたものとなっている。
【００２０】
尚、前記第１の案内面１ｆと前記第２の案内面１ｇとは、前記第１の案内面１ｆが前記第２の案内面１ｇより外方に形成されていると共に、前記第２の案内面１ｇを前記第１の案内面１ｆよりも上方位置に形成し、お互いの位置が高さ方向に異なった位置に形成されたものとなっている。
【００２１】
このように、前記第２の案内面１ｇを前記第１の案内面１ｆよりも上方位置に形成することにより、前記収納部１ａに挿入される後述する第２のカード１３の底面と、前記収納部１ａに挿入される後述する第１のカード１２の底面との位置を同一高さに配置することができるものとなっている。
【００２２】
また、前記ハウジング１の一側部の前端側には、後述する第１のスライド部材６をカードの排出方向へ付勢するコイルばねからなる第１の復帰ばね４を収容するばね収容部が形成されている。また、このばね収容部の後方には、第１のスライド部材６をカードの挿着位置に保持するための複数の段部からなる第１のハート型カム溝１ｈが形成されている。
【００２３】
また、前記ハウジング１の対向する他側部の後端側には、後述する第２のスライド部材９をカードの排出方向へ付勢するコイルばねからなる第２の復帰ばね５を収容するばね収容部が形成されている。また、このばね収容部の前方には、第２のスライド部材９をカードの挿着位置に保持するための複数の段部からなる第２のハート型カム溝１ｉが形成されている。
【００２４】
第１のスライド部材６は、合成樹脂などの絶縁材から略Ｈ字状に形成されており、この第１のスライド部材６には、後述する第１のカード１２が収容される第１のカード収容部６ａが形成されている。また、前記第１のカード収容部６ａの一側面部には、収容される第１のカード１２の側面部に設けられた位置決め用の凹部１２ｅに係合する、ばね性を有する金属板等からなる第１係合片７が固着されている。
【００２５】
また、前記第１のスライド部材６には、前記ハウジング１のばね収容部に収容された、前記第１の復帰ばね４の一端部が係止されるばね係止部６ｂが設けられており、また前記第１のスライド部材６の一端側には、前記ハウジング１に形成された前記第１のハート型カム溝１ｈと摺接して前記第１のスライド部材６をカードの挿着位置に保持する金属の線材からなる第１のロックピン８が回動可能に軸支されている。そして、前記第１のロックピン８と前記第１のハート型カム溝１ｈとの協同によって、前記第１のスライド部材６は、前記第１の復帰ばね４の付勢力に抗してカードの挿着位置に保持されるものとなっている。
【００２６】
また、前記第１のカード収容部６ａの両前端部には、一対の第１の前面係止部６ｃ、６ｃが形成されている。この第１の前面係止部６ｃ、６ｃが、挿入される後述する第１のカード１２の前面角部及び切り欠き部１２ｂと係合することにより、カードの挿入に伴って、前記第１のスライド部材６がカードの挿入方向へ移動されるものとなっている。
【００２７】
また、前記第１のスライド部材６の第１のカード収容部６ａの略中央には、横方向に長尺状で前端に傾斜面を有する、方形で板状の押圧部６ｄが形成されている。この押圧部６ｄが、前記第１のスライド部材６がカードの挿入方向へ移動するのに伴って、前記第１のコネクタ端子２の接触片２ｂと当接することで、前記接点部２ｃを前記収納部１ａのカード挿入路内に突出させるものとなっている。
【００２８】
第２のスライド部材９は、合成樹脂などの絶縁材から略方形状に形成されており、この第２のスライド部材９には、後述する第２のカード１３の係止用凹部１３ｃが係止される第２のカード係止部９ａが形成されている。また、前記第２のカード係止部９ａの近傍には、係止される第２のカード１３の側面部に設けられた位置決め用の凹部１３ｄに係合する、ばね性を有する金属板等からなる第２係合片１０が固着されている。
【００２９】
また、前記第２のスライド部材９には、前記ハウジング１のばね収容部に収容された、前記第２の復帰ばね５の一端部が係止されるばね係止部９ｂが設けられており、また前記第２のスライド部材９の一端側には、前記ハウジング１に形成された前記第２のハート型カム溝１ｉと摺接して前記第２のスライド部材９をカードの挿着位置に保持する金属の線材からなる第２のロックピン１１が回動可能に軸支されている。そして、前記第２のロックピン１１と前記第２のハート型カム溝１ｉとの協同によって、前記第２のスライド部材９は、前記第２の復帰ばね５の付勢力に抗してカードの挿着位置に保持されるものとなっている。
【００３０】
そして、前記第２のカード係止部９ａが、挿入される後述する第２のカード１３の係止用凹部１３ｃと係止することにより、カードの挿入に伴って、前記第２のスライド部材９がカードの挿入方向へ移動されるものとなっている。
【００３１】
尚、図示はしないが、前記ハウジング１の上面側には、金属板からなるカバー部材が、前記ハウジング１の上面側の開口部を覆うように取り付けられている。また、このカバー部材は前記ハウジング１の収納部１ａに配設された前記第１及び第２のコネクタ端子２、３の上面を覆うように形成されており、外部からの輻射ノイズ等の侵入を防止するシールド板の役目も果たすものとなっている。
【００３２】
図１０乃至１２において、第１のカード１２は、内部に集積回路（ＩＣ）が収納されており、記録媒体として広く使用されているものである。この第１のカード１２の一表面には、その一端側に複数の接触端子部１２ａが形成されており、この接触端子部１２ａが前記ハウジング１の収納部１ａに配設された前記第１のコネクタ端子２の接触片２ｂと接触することにより、外部に接続された電子機器との種々の情報処理が行われるものとなっている。
【００３３】
また、前記第１のカード１２には、前記接触端子部１２ａの形成側のその一隅部に、斜面状の切り欠き部１２ｂが設けられている。前記第１のカード１２が前記第１のスライド部材６の第１のカード収容部６ａに挿入された時、この切り欠き部１２ｂと他端側の角部が前記第１のスライド部材６の第１のカード収容部６ａの第１の前面係止部６ｃに係合することによって、前記第１のスライド部材６が前記第１のカード１２の挿入に伴って挿入方向へ移動可能となるように形成されている。
【００３４】
また、前記第１のカード１２の一側面部には、カードの書き込み禁止を示す識別部である凹溝部１２ｃが形成され、この凹溝部１２ｃにはスライド可能な識別子１２ｄが設けられている。この識別子１２ｄをスライド移動させることにより、前記凹溝部１２ｃの位置を変更することができ、この位置に応じてカードへの書き込みの可否を変更することが可能となっている。
【００３５】
また、前記第１のカード１２の他側面部には、位置決め用の凹部１２ｅが形成されている。この凹部１２ｅに前記第１のカード収容部６ａの一側面部に設けられたばね性を有する前記第１係合片７が係合することで前記第１のカード１２を前記第１のスライド部材６の第１のカード収容部６ａに保持させるものとなっている。
【００３６】
尚、前記第１のカード１２の下面側両端部には長尺状の切り溝部１２ｆが形成されており、この切り溝部１２ｆを除いた最大幅寸法はやや幅広に形成されており、これに対して最大厚さ寸法はやや肉薄に形成されたものとなっている。
【００３７】
図１３乃至１５において、第２のカード１３は、内部に集積回路（ＩＣ）が収納されており、記録媒体として広く使用されているものである。この第２のカード１３の一表面には、その一端側に複数の接触端子部１３ａが形成されており、この接触端子部１３ａが前記ハウジング１の収納部１ａに配設された前記第２のコネクタ端子３の接触片３ｂと接触することにより、外部に接続された電子機器との種々の情報処理が行われるものとなっている。
【００３８】
また、前記第２のカード１３の一端部には傾斜面からなる切り欠き部１３ｂが形成されており、この切り欠き部１３ｂの下面側には、カードの挿入方向と直交する方向に当接面を有する係止用凹部１３ｃが形成されている。また、前記係止用凹部１３ｃと一定の間隔をおいて前記第２のカード１３の一側面部には、位置決め用の凹部１３ｄが形成されている。
【００３９】
前記第２のカード１３を前記第２のスライド部材９の第２のカード係止部９ａに係止させる際、前記凹部１３ｃに、前記第２のカード係止部９ａの近傍に設けられたばね性を有する前記第２係合片１０が係合することにより、前記第２のカード１３を前記第２のスライド部材９の第２のカード係止部９ａに保持させるものとなっている。
【００４０】
前記第２のカード１３が前記ハウジング１の収納部１ａに挿入された時、前記第２のカード１３の前記係止用凹部１３ｃの当接面が前記第２のスライド部材９の第２のカード係止部９ａに当接することによって、前記第２のスライド部材９が前記第２のカード１３の挿入に伴って挿入方向へ移動可能となるように形成されている。
【００４１】
尚、前記第２のカード１３は略長方体状に形成されており、前記第１のカード１２に比較して、最大幅寸法はやや幅狭に形成されており、これに対して最大厚さ寸法はやや肉厚に形成されたものとなっている。また、挿入方向の長さが前記第１のカード１２よりも長く長尺状に形成されたものとなっている。
【００４２】
上記構成のように、形状の異なる、それぞれの前記第１のカード１２、及び前記第２のカード１３を前記ハウジング１のカード挿入部１ｂに挿入する場合、上記実施例の構成においては、図５及び図８に示すように、前記カード挿入部１ｂは、最大幅が、幅広、肉薄である前記第１のカード１２の幅と略等しくなるように形成されており、また、最大厚さは、幅狭、肉厚である前記第２のカード１３の厚さと略等しくなるように形成されていることから、それぞれの前記第１、及び第２のカード１２、１３の挿入が可能となっている。
【００４３】
また、この場合、前記カード挿入部１ｂの両側部には一対の前記ガイド部１ｅ、１ｅが形成されており、この前記ガイド部１ｅに前記第１のカード１２の側面部と当接して第１のカード１２を挿着位置に案内する凹状の第１の案内面１ｆと、前記第２のカード１３の側面部と当接して第２のカード１３を挿着位置へ案内する凸状の第２の案内面１ｇとを形成したことから、形状の異なる複数種類のカードを円滑に、かつ確実にカードの挿着位置に案内することができるものとなっている。
【００４４】
また、前記第２のカード１３は前記第１のカード１２よりも挿入方向の長さが長く長尺状に形成されており、また、前記ハウジング１の収納部１ａには、前記第１のカード１２の接触端子部１２ａと接触する前記第１のコネクタ端子２と、前記第２のカード１３の接触端子部１３ａと接触する前記第２のコネクタ端子３とを、カードの挿入方向に違えて、それぞれの前記接触端子部１２ａ、１３ａの形成位置に対応させて配設するようにしたことから、形状の異なる複数種類のカードと、これらを挿着するコネクタ装置のコネクタ端子との接触を確実に行うことができるものとなっている。
【００４５】
次に、図４乃至図９を用いて前記第１のカード１２、及び第２のカード１３をコネクタ装置に挿入する場合の動作を説明する。
まず、図１に示す初期の状態、すなわち前記第１のカード１２の未挿入時には、前記第１のスライド部材６は前記第１の復帰ばね４の付勢力によりカードの排出方向へ付勢されている。
【００４６】
次に、前記第１のカード１２が、前記第１のスライド部材６の第１のカード収容部６ａに挿入されると、前記第１のカード１２は、前記第１係合片７により位置決め用の前記凹部１２ｅが係合されて前記第１のカード収容部６ａに保持されるものとなる。この時、前記第１のカード１２の接触端子部１２ａは前記第１のコネクタ端子２の接触片２ｂの接点部２ｃとは離間している。
【００４７】
次に、前記第１のカード１２をカードの挿入方向へ押圧してやると、前記第１のカード１２の切り欠き部１２ｂと他端側の角部が、前記第１のスライド部材６の第１のカード収容部６ａの第１の前面係止部６ｃに係合していることから、前記第１のスライド部材６が前記第１のカード１２の挿入に伴って挿入方向へ移動可能となり、前記第１の復帰ばね４の付勢力に抗して前記第１のスライド部材６がカードの挿入方向へ移動して、前記第１のロックピン８の一端部が前記第１のハート型カム溝１ｈをトレースしてロック位置にロックされる。（図４）
尚、この場合、前記第２のスライド部材９は、前記ハウジング１の収納部１ａの奥側に配置されており、前記第１のスライド部材６とは当接しないようなっている。
【００４８】
この時、前記第１のカード１２の挿入に伴って、前記第１のスライド部材６に形成された前記押圧部６ｄが前記第１のコネクタ端子２の接触片２ｂを押圧して、前記接点部２ｃを前記ハウジング１の収納部１ａのカードの挿入路内へと押し上げることから、前記第１のカード１２の接触端子部１２ａは前記第１のコネクタ端子２の接触片２ｂの接点部２ｃと接触するものとなる。（図６）
【００４９】
また、この時、前記第１のカード１２に設けられた前記識別子１２ｄが、図示しない検出手段を押圧／非押圧することにより、前記第１のカード１２の書き込み禁止か否かを検出することができるものとなっている。
【００５０】
このように、前記第１のカード１２の挿入に伴って、前記第１のスライド部材６の前記押圧部６ｄによって前記第１のコネクタ端子２の接触片２ｂを収納部１ａのカード挿入路内へ押し上げる構成としたことにより、前記第１のカード１２の接触端子部１２ａと前記第１のコネクタ端子２の接触片２ｂの接点部２ｃとを確実に接触させることができるものとなっている。
【００５１】
また、前記第１のスライド部材６のロックを解除して前記第１のカード１２を排出させる場合には、前記第１のカード１２を再度押圧することにより前記第１のロックピン８が前記第１のハート型カム溝１ｈのロック位置から外れ、前記第１のスライド部材６がカード排出方向へ移動するのに伴って、前記第１のカード１２は前記第１のスライド部材６に押されて排出位置まで移動するものとなる。
【００５２】
次に、図１に示す初期の状態、すなわち前記第２のカード１３の未挿入時には、前記第２のスライド部材９は前記第２の復帰ばね５の付勢力によりカードの排出方向へ付勢されている。
【００５３】
次に、前記第２のカード１３が、前記ハウジング１収納部１ａに挿入されると、前記第２のカード１３は前記第１のカード１２より横幅が狭いことから、前記第１のスライド部材６の前記第１のカード収容部６ａに設けられた前記第１の前面係止部６ｃ、６ｃを通過するものとなり、前記第２のカード１３は、前記第２のスライド部材９の前記第２係合片１０により位置決め用の前記凹部１３ｄが係合されて前記第２のスライド部材９の前記第２のカード係止部９ａに保持されるものとなる。この時、前記第２のカード１３の接触端子部１３ａは前記接触片３ｂの接点部３ｃとは離間している。
【００５４】
この時、前記第１のスライド部材６は前記第１の復帰ばね４の付勢力によりカードの排出方向へ付勢されており、前記押圧部材６ｄはカードの挿入方向へ移動されないことから、前記第１のコネクタ端子２の接触片２ｂは前記押圧部６ｄに押圧されることはなく、前記接触片２ｂは自身の有する弾性力により接点部２ｃが前記収納部１ａのカード挿入路の外側に位置するように付勢されたものとなっている。このため、前記第２のカード１３は、前記接点部２ｃと底面が接触することなく前記第２のスライド部材９の前記第２のカード係止部９ａに保持されるものとなる。
【００５５】
このように、前記第１のコネクタ端子２の接触片２ｂの有する弾性力を利用して、前記接点部２ｃが前記収納部１ａのカード挿入路の外側に位置するように付勢されたものとなっており、前記第２のカード１３の底面とは接触しないようになっているので、簡単な構成でカード挿入時の抵抗を小さくできるため、小形化、ローコスト化が図れるものとなっている。
【００５６】
次に、前記第２のカード１３をカードの挿入方向へ押圧してやると、前記第２のカード１３の前記係止用凹部１３ｃの当接面が前記第２のスライド部材９の第２のカード係止部９ａと当接することによって、前記第２のスライド部材９が前記第２のカード１３の挿入に伴って挿入方向へ移動可能となり、前記第２の復帰ばね５の付勢力に抗して前記第２のスライド部材９がカードの挿入方向へ移動して、前記第２のロックピン１１の一端部が前記第２のハート型カム溝１ｉをトレースしてロック位置にロックされる。（図７）
【００５７】
この前記第２のカード１３の挿入時には、前記第２のカード１３の底面が、前記第１のコネクタ端子２の接触片２ｂの前記接点部２ｃと接触することなくカードの挿着位置まで挿入されるものとなる。そして、前記第２のカード１３の接触端子部１３ａは前記第２のコネクタ端子３の接触片３ｂの接点部３ｃと接触するものとなる。（図９）
【００５８】
この場合、前記第１のカード１２は幅広かつ肉薄に形成され、前記第２のカード１３は前記第１のカード１２より幅狭かつ肉厚に形成されており、前記第２のカード１３は、前記第１のカード１２に比べてその幅が狭くなっていることから、挿入の過程において、前記第１のスライド部材６の第１のカード収容部６ａに設けられた前記第１の前面係止部６ｃ、６ｃとは当接されずに通過され、奥方に配置された前記第２のスライド部材９と共にカードの挿着位置まで挿入されるものとなっている。（図９）
【００５９】
また、前記第２のスライド部材９のロックを解除して前記第２のカード１３を排出させる場合には、前記第２のカード１３を再度押圧することにより前記第２のロックピン１１が前記第２のハート型カム溝１ｉのロック位置から外れ、前記第２のスライド部材９がカード排出方向へ移動するのに伴って、前記第２のカード１３は前記第２のスライド部材９に押されて排出位置まで移動するものとなる。
【００６０】
このように、簡単な構造でカード排出機構が構成できるので、長さや大きさの異なる前記第１のカード１２、及び前記第２のカード１３を容易に挿着及び排出させることができるものとなっている。
【００６１】
上記構成によれば、前記ハウジング１の収納部１ａの手前側に配設された、前記第１のコネクタ端子２の接点部２ｃは、前記収納部１ａのカード挿入路の外側に配置され、前記第２のカード１３の挿入時には、前記第２のカード１３の底面とは接触しないように形成されており、また、前記第１のカード１２の挿入時には、カードの挿入に伴って前記接点部２ｃが前記第１のスライド部材６の押圧部６ｄによって前記第１のカード１２の接触端子部１２ａと接触する位置まで変位するように形成しているので、長さが長く肉厚な前記第２のカード１３が前記収納部１ａに挿入される場合においては、前記収納部１ａの手前側に並設された前記第１のコネクタ端子２の接点部２ｃが前記第２のカード１３の底面と接触しない位置にあるため、カード挿入時の抵抗が大きくなることを防止できると共に、前記第１のコネクタ端子２と擦れて底面が摩耗することを防止でき、カードの挿入時に各カードを円滑に挿入することができるものとなっている。
【００６２】
また、長さが短く肉薄な前記第１のカード１２が前記ハウジング１の収納部１ａに挿入される場合においては、前記第１のスライド部材１２が移動するのに伴い、前記第１のスライド部材６に設けられた前記押圧部６ｄによって前記第１のコネクタ端子２の前記接点部２ｃが前記第１のカード１２の接触端子部１２ａと接触する位置に変位するように形成されているので、前記第１のカード１２の接触端子部１２ａと前記第１のコネクタ端子２の接点部２ｃとの接触を確実なものとすることができる。
【００６３】
【発明の効果】
以上説明したように、本発明のカード用コネクタ装置は、長さが短く肉薄な第１のカードと、この第１のカードより長さが長く肉厚な第２のカードの両方が挿着可能な収納部を有するハウジングと、収納部のカード挿入方向に沿って手前側と奥側にそれぞれ並設され、第１のカードの接触端子部と接続される複数の第１のコネクタ端子と、第２のカードの接触端子部と接続される複数の第２のコネクタ端子とを備え、第１のコネクタ端子の接点部は、収納部のカード挿入路の外側に配設され、第２のカードの挿入時には第２のカードの底面とは接触しないように形成されると共に、第１のカードの挿入時にはカードの挿入に伴って接点部が第１のカードの接触端子部と接触する位置まで変位するように形成したことから、長さが長く肉厚な第２のカードが収納部に挿入される場合においては、収納部の手前側に並設された第１のコネクタ端子と第２のカードの底面が接触しない位置にあるため、カード挿入時の抵抗が大きくなることを防止できると共に、第１のコネクタ端子と擦れて底面が摩耗することを防止でき、カードの挿入時に各カードを円滑に挿入することができる。
【００６４】
また、ハウジングには、第１のカードと係合してカード挿入方向へ移動する第１のスライド部材と、第２のカードと係合してカード挿入方向へ移動する第２のスライド部材が設けられ、第１のスライド部材は第２のスライド部材よりカード挿入方向に沿って手前側に配設され、第１のスライド部材に、第１のコネクタ端子の接点部を第１のカードの接触端子部と接触する位置まで変位させる押圧部を形成したことから、長さが短く肉薄な第１のカードが収納部に挿入される場合においては、第１のスライド部材が移動するのに伴い、押圧部によって第１のコネクタ端子の接点部が第１のカードの接触端子部と接触する位置に変位するため、第１のカードの接触端子部と第１のコネクタ端子の接点部との接触を確実なものとすることができる。
【００６５】
また、第１のコネクタ端子は、一端側がハウジングに固着されて自由端側が接点部を有する片持ち状に形成され、接点部が自身の有する弾性力により収納部のカード挿入路の外側に位置するように付勢されており、第１のスライド部材がカードの挿着位置に移動するのに伴って、押圧部が、第１のコネクタ端子の付勢力に抗して接点部を第１のカードの接触端子部と接触する位置まで変位させることから、前記第１のコネクタ端子の有する弾性力を利用して、第２のカードの底面とは接触しないようにしたので、簡単な構成で挿入時の抵抗を小さくできるため、小形化、ローコスト化が図れる。
【００６６】
また、第１のスライド部材をカード排出方向へ付勢する第１付勢部材と、第１のスライド部材を第１のカード挿着位置にロックする第１ハート型カム溝、及びこの第１ハート型カム溝に沿って摺動する第１ロックピンとを備えると共に、第２のスライド部材をカード排出方向へ付勢する第２付勢部材と、第２のスライド部材を第２のカード挿着位置にロックする第２ハート型カム溝、及びこの第２ハート型カム溝に沿って摺動する第２ロックピンとを備え、ロックの解除時には、第１のスライド部材がカード排出方向へ移動するのに伴って、第１のカードは第１のスライド部材に押されて排出位置まで移動され、第２のスライド部材がカード排出方向へ移動するのに伴って、第２のカードは第２のスライド部材に押されて排出位置まで移動することから、簡単な構造でカード排出機構が構成でき、長さや大きさの異なる第１のカード、及び第２のカードを容易に挿着及び排出させることができる。
【図面の簡単な説明】
【図１】本発明の実施態様であるカード用コネクタ装置を示す平面図である。
【図２】本発明の同じくカード用コネクタ装置を示す正面図である。
【図３】本発明の同じくカード用コネクタ装置を示す縦断面図である。
【図４】本発明の第１のカード挿着時のカード用コネクタ装置を示す平面図である。
【図５】本発明の同じく第１のカード挿着時のカード用コネクタ装置を示す正面図である。
【図６】本発明の同じく第１のカード挿着時のカード用コネクタ装置を示す縦断面図である。
【図７】本発明の第２のカード挿着時のカード用コネクタ装置を示す平面図である。
【図８】本発明の同じく第２のカード挿着時のカード用コネクタ装置を示す正面図である。
【図９】本発明の同じく第２のカード挿着時のカード用コネクタ装置を示す縦断面図である。
【図１０】本発明の第１のカードを示す平面図である。
【図１１】本発明の同じく第１のカードを示す正面図である。
【図１２】本発明の同じく第１のカードを示す底面図である。
【図１３】本発明の第２のカードを示す平面図である。
【図１４】本発明の同じく第２のカードを示す正面図である。
【図１５】本発明の同じく第２のカードを示す底面図である。
【符号の説明】
１  ハウジング
１ａ  収納部
１ｂ  カード挿入部
１ｃ  開口部
１ｄ  平坦部
１ｅ  ガイド部
１ｆ  第１の案内面
１ｇ  第２の案内面
１ｈ  第１のハート型カム溝
１ｉ  第２のハート型カム溝
２  第１のコネクタ端子
２ａ  接続片
２ｂ  接触片
２ｃ  接点部
３  第２のコネクタ端子
３ａ  接続片
３ｂ  接触片
３ｃ  接点部
４  第１の復帰ばね
５  第２の復帰ばね
６  第１のスライド部材
６ａ  第１のカード収容部
６ｂ  ばね係止部
６ｃ  第１の前面係止部
６ｄ  押圧部
７  第１係合片
８  第１のロックピン
９  第２のスライド部材
９ａ  第２のカード係止部
９ｂ  ばね係止部
１０  第２係合片
１１  第２のロックピン
１２  第１のカード
１２ａ  接触端子部
１２ｂ  切り欠き部
１２ｃ  凹溝部
１２ｄ  識別子
１２ｅ  凹部
１２ｆ  切り溝部
１３  第２のカード
１３ａ  接触端子部
１３ｂ  切り欠き部
１３ｃ  係止用凹部
１３ｄ  凹部
【図１】
0003827586.tif 000002
【図２】
0003827586.tif 000003
【図３】
0003827586.tif 000004
【図４】
0003827586.tif 000005
【図５】
0003827586.tif 000006
【図６】
0003827586.tif 000007
【図７】
0003827586.tif 000008
【図８】
0003827586.tif 000009
【図９】
0003827586.tif 000010
【図１０】
0003827586.tif 000011
【図１１】
0003827586.tif 000012
【図１２】
0003827586.tif 000013
【図１３】
0003827586.tif 000014
【図１４】
0003827586.tif 000015
【図１５】
0003827586.tif 000016